(57)【要約】【課題】燃料供給あるいは充電を容易に行うことができる携帯電子機器および電源供給装置、電源供給方を提供する。【解決手段】本発明にかかる携帯電子機器は、基地局から電池の残量が少ないことを示す通知を受信し、前記通知に応じて前記電池の残量が少ない旨の表示を行う。そして、位置情報受信手段により位置情報を受信し、前記位置情報を前記基地局に送信し、前記基地局から前記電池に燃料を供給あるいは充電することが可能な供給装置の位置を示す供給装置情報を受信する。また、前記携帯電子機器は、この携帯電子機器の種類を示す情報と、必要な燃料量あるいは充電量を供給装置に送信する。前記供給装置は、前記携帯電子機器から送信された情報に応じて、燃料を供給あるいは充電し、その対価を示す情報を基地局に送信する。【選択図】図１
2004128827.tif 000002
【特許請求の範囲】
【請求項１】
電池を電源として備えてなる携帯電子機器であって、
電池の残量が少ない旨の表示を行う表示手段と、
位置情報を受信する位置受信手段と、
前記位置受信手段により受信した位置情報と、前記携帯電子機器の種類を示す情報とを基地局に送信する送信手段と、
前記基地局から前記電池に燃料を供給あるいは充電することが可能な供給装置の位置を示す供給装置情報を受信する手段と、
を備えていることを特徴とする携帯電子機器。
【請求項２】
前記携帯電子機器は、前記基地局から前記電池の残量が少ないことを示す通知を受信する通知受信手段を備え、
前記表示手段は前記通知受信手段により受信した通知に応じて表示を行うことを特徴とする請求項１に記載の携帯電子機器。
【請求項３】
前記通知受信手段により受信した通知は、必要な燃料供給量あるいは充電量を示す情報を有していることを特徴とする請求項２に記載の携帯電子機器。
【請求項４】
前記携帯電子機器は、電池に燃料を供給あるいは充電することが可能な供給装置に、前記携帯電子機器を識別する識別情報と、燃料供給量あるいは充電量を示す情報とを送信することを特徴とする請求項１ないし４のいずれかに記載の携帯電子機器。
【請求項５】
携帯電子機器の電池に燃料を供給あるいは充電することのできる供給装置であって、
前記携帯電子機器を装着する装着手段と、
前記携帯電子機器から前記携帯電子機器を識別するＩＤ情報を受信する受信手段と、
前記携帯電子機器の電池に燃料を供給あるいは充電する供給手段と、
前記供給手段による燃料供給あるいは充電の対価に対応した情報を基地局に送信する送信手段と、
を備えていることを特徴とする供給装置。
【請求項６】
前記受信手段は、前記携帯電子機器から燃料の供給量あるいは充電量を示す供給情報を受信し、
前記供給手段は、供給情報に応じて前記携帯電子機器の電池に燃料を供給あるいは充電することを特徴とする請求項５に記載の供給装置。
【請求項７】
前記供給装置は、前記対価の支払い方法を選択する選択手段を備え、前記選択手段により現金による支払い方法が選択されたとき、前記送信手段は対価に対応した情報を前記基地局に送信しないことを特徴とする請求項５または６に記載の供給装置。
【請求項８】
携帯電子機器に燃料を補給する補給方法であって、
前記携帯電子機器は前記基地局に前記携帯電子機器の位置に関する位置情報と、前記携帯電子機器の種類を示す機器情報とを送信し、
前記基地局は前記携帯電子機器の位置に関する位置情報を受信したとき、前記位置情報および前記機器情報に応じて、前記携帯電子機器に燃料を補給可能な供給装置の位置を示す情報を前記携帯電子機器送信し、
前記携帯電子機器は、前記供給装置に前記携帯電子機器を識別うる識別情報を送信し、
前記供給装置は前記携帯電子機器に燃料を供給したあと、前記識別情報と燃料供給の対価に関する情報を前記基地局に送信することを特徴とする供給方法。
【請求項９】
電池を電源として備えてなる携帯電子機器であって、
電池の残量が所定量よりも少なくなったとき所定の通知を行う通知手段と、
位置情報を受信する位置受信手段と、
前記位置受信手段により受信した位置情報と、前記携帯電子機器の種類を示す情報とを基地局に送信する送信手段と、
前記基地局から前記電池に燃料を供給あるいは充電することが可能な供給装置の位置を示す供給装置情報を受信する手段と、
を備えていることを特徴とする携帯電子機器。
【発明の詳細な説明】
【０００１】
【発明の属する技術分野】
本発明は、携帯電子機器および電源供給装置、電源供給方法に関する。
【０００２】
【従来の技術】
現在、携帯電話にはリチウムイオン電池が使われており、電池残量が少なくなると、充電器で充電するようになっている。しかし、ユーザが充電器を持ち歩くことは少ないため、外出中に電池残量が無くなった場合には充電できず、携帯電話を使用できなくなってしまうという問題がある。この問題点を解決することを目的として、充電器を備えた公衆電話機を街頭に設置することが特開２０００−１０１７５６号公報に開示されている。
【０００３】
また、リチウムイオン電池等の蓄電池の代わりに、携帯電子機器の電源に燃料電池を用いることが考えられている。例えば、特開平９−２１３３５９号公報には、ノート型パソコン等のポータブル機器に燃料電池を搭載することが記載されている。
【０００４】
【特許文献１】
特開２０００−１０１７５６号
【特許文献２】
特開平９−２１３３５９号
【０００５】
【発明が解決しようとする課題】
特開平９−２１３３５９号公報に記載された発明では、燃料として水素吸蔵ボンベに貯蔵された水素を用いており、水素吸蔵ボンベの水素が全て消費された場合に水素吸蔵ボンベを交換するようになっている。すなわち、燃料がなくなって初めて水素吸蔵ボンベを交換するため、この従来技術を携帯電話機に適用した場合には、燃料がなくなる寸前に予期せぬ着信があると、燃料切れにより通話や情報通信が中断される恐れがある。
【０００６】
また、特開２０００−１０１７５６号公報に記載の発明では、ユーザは充電の対価として公衆電話機に硬貨を投入あるいは、カードを挿入する必要がある。従って、ユーザが小銭やカードを持っていない場合には、必要なときに充電できないという問題がある。また、携帯電話の電池残量がなくなっていることに気づいたときに、その周辺にユーザが所持している携帯電話の機種に対応する充電器があるとは限らないため、ユーザは機種に対応する充電器を備えた公衆電話機を探し回らなくてはならない。
【０００７】
そこで、本発明は、充電あるいは燃料補給を容易に行うことができる携帯電子機器および電源供給装置、電源供給方法を提供することを目的とする。
【０００８】
【課題を解決するため手段】
上記目的を達成するために、本発明にかかる携帯電子機器は、位置情報受信手段により位置情報を受信し、前記位置情報と前記携帯電子機器の種類を示す情報を基地局に送信し、前記基地局から前記電池に燃料を供給あるいは充電することが可能な供給装置の位置を示す供給装置情報を受信する。また、前記携帯電子機器は、この携帯電子機器の種類を示す情報と、必要な燃料量あるいは充電量を供給装置に送信する。前記供給装置は、前記携帯電子機器から送信された情報に応じて、燃料を供給あるいは充電し、その対価を示す情報を基地局に送信する。
【０００９】
【発明の実施の形態】
本発明の実施の形態を図を用いて説明する。図１は、燃料電池を用いた携帯電話機４００に燃料を供給するシステムを示す。本システムは、携帯電話機４００、キャリア（携帯電話の通信事業者）の基地局９００、携帯電話機４００に燃料を供給する燃料供給装置６００をから構成されている。各構成および燃料供給の方法については、以下に順次説明を行う。
【００１０】
図４は、本実施形態にかかる携帯電話機４００の構成を示すブロック図である。高周波回路部４２０はアンテナ４１０に接続され、基地局との送受信を行う高周波部としての機能を有する。音声回路部４３０は高周波部４２０に接続され、高周波部４２０の出力を音声信号へ変換および音声信号を高周波信号へ変換する低周波部としての機能を有する。制御部１０２は前記高周波回路部４２０および音声回路部４３０に接続され、記憶部１０３に記憶された制御プログラムおよび制御のためのデータを用いて各部の制御を行う。入力部１０１は、送信先の指定または機能の設定、インターネットあるいは電子メール等のデータ通信時の情報入力に用いる。
【００１１】
表示部１０４は、例えばカラー液晶表示器であり、制御部１０２により制御されて表示を行う。待ち受け状態の場合には、電波状態表示、電池残量表示、日付および時刻表示を行う。また、機能設定時においては各種機能設定のための画面を表示し、発信時あるいは着信時には通話相手の電話番号や、名前、愛称、似顔絵、顔の画像等の表示を行う。インターネットや電子メール等のデータ通信を行うときは、送受信される情報を表示する。また、データ通信の入力画面あるいは受信画面として、画像情報や文字情報を表示する。この画像情報とは、静止画あるいは動画である。さらに、燃料補給時には図１３〜図１５に示すような画面表示を行う。
【００１２】
通信部５００は制御部１０２に接続され、アンテナ５１０を介して基地局９００との送受信とは異なる周波数で燃料供給装置６００との間で無線により情報通信を行う。燃料電池３００は、入力部１０１の背面側に設けられて電気量検出部３２０を介して各部に電源を供給する。本実施形態では、制御部１０２は、燃料電池３００から供給された電気量を算出する機能を有し、この電気量に関連する信号を高周波回路部４２０あるいは通信部５００を介して送信する。
【００１３】
また、本実施形態にかかる携帯電話機４００は、ＧＰＳ受信部４１１を備え、ＧＰＳ衛星から携帯電話機４００の位置を示す位置情報を受信することができる。そして、ユーザの指示に応じて、あるいは一定時間ごとに、前記位置情報をアンテナ４１０を介して基地局９００に送信する。
【００１４】
説明の便宜上、筐体４５０の入力部１０１と表示部１０４を設ける側を携帯電話機筐体の正面側と定義すると、図２に示すように携帯電話機の正面側には長手方向の両端部にそれぞれ受話器４４５と送話器４４０を設け、受話器４４５に近い側には表示部１０４を設け、送話器４４０に近い側には入力部１０１を設ける。また、図３に示すように携帯電話機４００の裏面側に、燃料電池３００、この燃料電池に燃料を供給するための燃料供給口３００、燃料供給装置６００と通信を行うアンテナ５１０を設ける。
【００１５】
なお、図２示すように入力部１０１は、「０」から「９」までの１０個の数字キーおよび「＊（アスタリスク）」キー、「＃（シャープ）」キーを含む数値キー１０１Ｎと、カーソル移動あるいは画面スクロールを行うための上下左右キー（上下左右は図２で正面側から見て送話器４４５を上側としたときの上下左右に対応）および各種機能を設定するソフトキーを含むファンクションキー１０１Ｆを有する。
【００１６】
次に、図１０を用いて、携帯電話機４００への燃料供給方法について説明する。
【００１７】
基地局９００は、携帯電話機４００から電気量に関する信号を受信し、この信号に基づいて燃料の消費量を算出する。ここで、電気量に関する信号とは、例えば、通話時間、メール送受信のデータ量あるいはインターネット等のデータ通信の使用時間を表す信号などである。通話時間が長いほど、メール送受信のデータが多いほど（特にメール送信はデータ量が多いほど入力時間が長くなり、電力消費が増える）、データ通信の使用時間が長いほど、電力消費は増加する。基地局９００は携帯電話機４００と通信することにより、通話時間、メールのデータ量、データ通信の使用時間を把握し、これら通話時間等を電気量に関する信号として用いる。そして、基地局９００は、この信号に基づいて使用した電気量を推定し、この電気量から燃料消費量を算出する。
【００１８】
携帯電話機４００は基地局９００と通信を行うときに、携帯電話機４００の電話番号や機種を識別する識別情報を含むＩＤ情報を送信する。基地局９００は燃料消費量を示すデータを、前記ＩＤにより判別された携帯電話機ごとに消費量データベースに記憶する。記憶した燃料消費量の累積値が予め定められた値（閾値）に達すると、基地局９００は、携帯電話機４００の燃料残量が少く、燃料供給が必要な状態（燃料供給モード）であると推定する。そして、基地局９００は、携帯電話機４００に燃料供給の時期が近づいていることを通知する。この通知は電子メールや音声メッセージにより行い、燃料供給が必要であることとともに、供給すべき燃料の量を示す情報を有するものである。なお、前記閾値は、例えば携帯電話機４００の燃料タンク（燃料電池内の燃料が充填される部分）の容量の９０％とする。このように、基地局９００から通知を行うことにより、例えばユーザが携帯電話機４００を鞄に入れたまま燃料補給を忘れている場合であっても、電子メールや音声メッセージの着信を契機に燃料補給の必要性に容易に気づくことができる。
【００１９】
また、本実施形態では、基地局９００が携帯電話機４００の通話時間等により燃料残量を算定するため、携帯電話機４００から燃料残量を示すデータを送信しなくても、燃料供給が必要であることを示す通知を行うことができる。
【００２０】
なお、携帯電話機４００は、燃料電池３００から供給された電気量を算出する電気量検出器３２０を備え、この電気量検出器３２０で検出された電気量を所定時間ごとに基地局９００に送信し、基地局９００はこの電気量の累積値が閾値を超えた場合に、通知を行うようにしても良い。
【００２１】
携帯電話機４００は基地局９００から通知を受信、あるいは前記電気量検出器３２０により検出した電気量が閾値を超えた場合に、表示部１０４に図１３（ｂ）に示すように電池残量が少ないことを示す表示（図面右上の電池の表示）や、「燃料が少なくなりました。補給が必要です」等のメッセージを表示する（図示せず）。なお、補給が必要であるメッセージとともに、あるいはメッセージの代わりに、電池残量に基づいて通話可能な時間や待ち受け可能な時間を基地局９００あるいは携帯電話機４００の制御部１０２により算出し、通話可能時間等を表示部１０４に表示するようにしても良い。時間で示すことにより、燃料供給の必要性を容易に認識することができる。
【００２２】
また、ユーザが最低限確保したい通話可能時間や待ち受け可能時間を入力し、この時間に応じた電池残量になったときに、メッセージを表示するようにしても良い。例えば、燃料供給場所を見つけやすい街中にユーザがいる場合と、郊外などの燃料供給場所が少ない地域にいる場合とでは、燃料補給の緊急度が異なるため、ユーザが時間を選択できるようにすることにより、使い勝手を向上することができる。
【００２３】
携帯電話機４００は、ユーザの指示に応じて、ＧＰＳ受信部４１１により受信した位置情報を基地局９００に送信する。基地局９００は、燃料供給装置の位置データおよび前記位置データに対応する地図データと、各燃料供給装置がどの機種の携帯電話機に適合するものであるかを示すデータを記憶した供給装置データベースを備える。そして、携帯電話機４００の位置を示す位置情報を受信すると、前記位置情報および前記携帯電話機の機種に基づいて、近辺の燃料供給装置の位置を示す地図データを前記供給装置データベースから読み出し、携帯電話機４００に送信する。
【００２４】
ユーザが携帯電話機４００に早急に燃料補給が必要であると認識していても、どこで燃料を補給することができるのか分からない場合がある。また、燃料補給装置を運良く見つけたとしても、ユーザが所持する携帯電話機に適合しない場合がある。本実施形態では、前述のように基地局９００から携帯電話機４００に適合する燃料供給装置の地図データを送信するため、ユーザは容易に携帯電話機に燃料を補給することができる。また、前記地図情報とともに、燃料単価を示す情報や特典情報を送信するようにしても良い。これにより、近辺に複数の燃料供給装置がある場合、ユーザはどこで燃料供給を行うほうが良いのかを知ることができるため、ユーザの使い勝手を向上することができる。
【００２５】
また、本実施形態では、携帯電話機４００に適合した供給基地局９００からユーザの指示があった場合のみ位置情報を基地局９００に送信するため、ユーザのプライバシーを保護することができるとともに、基地局９００との間の通信接続が少なくてすみ、携帯電話機の消費電力を抑制することができる。但し、ユーザの選択により、所定時間ごとに位置情報を送信するように設定しても良い。この場合、基地局９００は予め携帯電話機４００の位置を認識することができるため、通知とともに燃料供給装置の地図データを送信することができる。
【００２６】
ここで、本実施形態で用いられる燃料供給装置６００を図５〜図７を用いて説明する。図６は、燃料供給装置６００の構成を示すブロック図である。記憶部６７２は、制御部６１０が制御を行うのに必要なプログラムやデータを記憶する。また、必要に応じて携帯電話機４００から入力された情報や、基地局９００から送られた情報や、取引に関する情報を記憶する。高周波回路部６６０はアンテナ６１４に接続され、制御部６１０の制御により基地局９００と通信を行う。制御部６１０は高周波回路部６６０、低周波回路部６６５、燃料タンクおよびポンプを備えた燃料供給部６２０、カートリッジ供給部６５０、携帯電話機４００との間でアンテナ６１２を介して信号の送受信を行う通信部６６２、表示部６４０、入力部６４２、記憶部６７２、音声ガイダンス装置６６８の制御を行う。また、制御部６１０は、燃料補給量の算出と燃料の料金の計算を行う。電源６９０は、入力部６４２、表示部６４０、低周波回路部６６５、高周波回路部６６０、制御部６１０、通信部６６２、記憶部６７２、カートリッジ供給部６５０および燃料供給部６２０に電源を供給する。
【００２７】
図５、図７は、燃料供給装置６００を示す斜視図である。燃料供給装置６００の正面に、携帯電話機４００を装着する携帯電話装着部６３０を設ける。この携帯電話装着部６３０には、携帯電話機４００のアンテナ５１０に対応する位置に受信部６１２を設け、携帯電話機４００の燃料供給口３０５に対応する位置に燃料供給部６２０のタップ６２５を設ける。図７に示すように携帯電話機４００が携帯電話装着部６３０に装着する際、燃料漏れを起こさないようにタップ６２５を燃料供給口３０５に挿入する。
【００２８】
表示装置６４０は液晶表示器で構成され、タッチパネルの入力部６４２をその表面に有し、燃料供給装置６００の外部から表示装置６４０の画面を見ることができるとともに入力操作ができるように構成されている。例えば表示装置６４０の画面には、図９に示すようなガイダンス画面が表示され、タッチパネル部分６４２に触れることにより、ユーザが燃料供給方法を選択できるようになっている。音声ガイダンス装置６６８は、制御部６１０に制御されてユーザが燃料供給装置６００の制御を行うのに必要な音声ガイダンスを行う。
【００２９】
図７に示すように燃料供給装置６００に携帯電話機４００を装着すると、図１０に示すように、携帯電話機４００は携帯電話機４００のＩＤ情報と基地局９００から送信された供給すべき燃料の量を通信部５００、アンテナ５１０を介して送信する。燃料供給装置６００はこの情報をアンテナ６１２、通信部６６２を介して受信する。図１０に示す実施形態では、ＩＤ情報を先に送信してから燃料補給量を送信しているが、ＩＤと燃料補給量を同時に送信してもよい。
【００３０】
制御部６１０はこの情報に基づいて燃料供給部６２０を制御する信号を発生し、タップ６２５を介して携帯電話機４００に燃料を補給する。補給が終了すると燃料供給装置６００は、供給量と金額を携帯電話機４００に送信する。携帯電話機４００は、前記供給量および金額を表示部１０４に表示する。これにより、ユーザは燃料供給に要した費用を知ることができる。なお、本実施形態では燃料供給後に金額を通知しているが、燃料供給前に金額を通知し、ユーザが金額を確認した後に、燃料供給を開始するようにしても良い。これによれば、ユーザの意図しない出費を防ぐことができる。
【００３１】
燃料供給装置６００は、供給量と金額を携帯電話機４００のＩＤ情報とともに基地局９００に送信する。基地局９００は、燃料供給装置６００から受信した金額をＩＤ情報に基づいて電話料金に上乗せして課金処理を行う。これにより、携帯電話機４００のユーザは小銭を持っていなくても燃料の補給を受けることができる。
【００３２】
なお、燃料供給装置６００は硬貨投入口６５８を備えており、図９に示す選択画面においてユーザが現金払いを選択することも可能である。また、燃料供給装置６００はレシート（領収書）発行機能を備え、制御部６１０の制御により燃料供給量及び金額、店舗名（事業社名）、年月日、時間等を印字してレシートとしてから発行するようにしても良い。
【００３３】
また、以上の実施形態では、携帯電話機４００の燃料電池３００に直接燃料を補給したが、燃料供給装置６００は、図８に示すような容器に封入された燃料を燃料カートリッジ（以下カートリッジ）をカートリッジ取り出し口６５２から提供することもできる。カートリッジ７００は、燃料が格納される本体部分７００Ａと、携帯電話機４００の燃料供給口３０５に挿入できる形状のネック部分７００Ｂと、このネック部分７００Ｂに着脱自在に装着されて燃料の流出を防止するキャップ（蓋）７００Ｃから構成される。このカートリッジ７００は、キャップ７００Ｃが閉じられて燃料の流出が防止された状態で販売され、燃料補給時にはユーザがキャップ７００Ｃをはずして補給を行う。カートリッジ７００は指などで押圧することにより容易に燃料を送り出すことができるよう可撓性を有する合成樹脂で形成され、側面７１０の高さはネック部分７００Ｂの外径とほぼ等しく形成され、薄くてカートリッジ供給部内での販売までの一時的保管に場所を取らず、ユーザがポケットに入れてもかさばらない形状にすることが望ましい。
【００３４】
なお、本実施形態によれば、基地局がユーザごとに燃料の消費量を知ることができるので、ある一定期間に予め定められた量以上の燃料を消費したユーザ（すなわちキャリアのサービス（通話、メール、インターネット等）を多く利用したユーザ）には、燃料補給時に景品としてカートリッジを無償で供給してもよい。これにより、キャリアのサービス利用を促進することができる。
【００３５】
ここで、燃料供給装置６００の変形例を図１９により説明する、本変形例では折畳み型携帯電話機４００を開いた状態（入力操作ができる状態）で携帯電話装着部６３０に装着できるよう構成され、ユーザが操作しやすいよう表示部６４０、入力部６４２、硬貨投入口６５８が燃料供給装置６００の上面に設けられる。燃料供給装置６００の上面は水平あるいは水平面に対し所定の角度を持つように設けられる。この角度は０度から４５度程度がよく、ユーザの操作性や表示部の見易さ及び携帯電話機４００を装着したときの安定性から望ましくは１０度から４０度の範囲がよい。この変形例の燃料供給装置６００に折畳みでないバータイプの携帯電話機４００を装着してよいことはもちろんである。
【００３６】
なお、以上の実施形態では、携帯電話機４００が電源として燃料電池３００を備えている場合を例にとって説明したが、蓄電池を備えた携帯電話機を充電する場合に本発明を適用しても良い。この場合、基地局９００は携帯電話機に充電が必要であることを示す通知と、充電装置の場所や料金を示す情報を送信する。そして、充電に対する対価を電話料金に上乗せして課金処理を行う。
【００３７】
次に、本発明の第２の実施形態を説明する。本実施形態における携帯電話機４００、燃料供給装置６００、および基地局９００のハードウェアの構成は第１の実施の形態と同じであるので説明を省略する。本実施形態は、図１１に示すように携帯電話機４００が電気量検出器３２０により検出した電気量を燃料供給装置６００に送信し、燃料供給装置６００の制御部６１０において必要な燃料供給量の算出を行い、燃料を携帯電話機４００に供給するものである。また、図１２に示すように、携帯電話機４００を用いて、カートリッジの購入を行うものである。
【００３８】
携帯電話機４００の制御部１０２は、電気量検出部３２０で検出された電気量に基づいて電池残量を算出し、表示部１０４に図１３（ｂ）に示すように画面右上に電池の図形で表示する。図１３（ｂ）は待ち受け画面であり、この状態で携帯電話機のユーザが入力部１０１の「メニュー」に対応するキーを操作すると、制御部１０２は表示部１０４に図１３（ａ）に示すメニュー画面を表示する。電池残量が少ないとき、制御部１０２は「燃料補給」あるいは「電池残量」の表示等、電源に関連するメニューの表示を優先的に行う。
【００３９】
ユーザが図１３（ａ）の画面で入力部１０１のサブメニューに対応するキーを操作すると、表示部１０４の画面は図１４（ａ）に示す燃料補給方法の選択画面になる。自動供給を希望する場合、ユーザは入力部１０１の「ＯＫ」に対応するキーあるいは数値キーの「１」を操作する。カートリッジ購入を希望するときは、入力部１０１のカーソルキーを操作してブロックカーソルを下方に移動させて図１４（ｂ）の画面表示にした後入力部１０１の「ＯＫ」に対応するキーを操作するか、あるいは図１４（ａ）の状態で数値キーの「２」を操作することによりカートリッジ購入モードを選択する。
【００４０】
以下、図１７、図１８を用いて、携帯電話機４００および燃料供給装置６００における処理を説明する。
【００４１】
携帯電話機４００のユーザが図１４（ａ）の画面で自動供給を選択する（Ｓ１０１）と、表示部１０４の画面は図１５（ａ）の自動供給スタート画面に移行する。ユーザが、タップ６２５が燃料供給口３０５に挿入されるように、携帯電話機４００を携帯電話装着部６３０にセットし、図９の燃料供給装置６００の表示画面６４０で「自動供給」の部分のタッチパネル６４２を操作する（Ｓ２０１）。これにより、燃料供給装置６００は自動供給モードとなり（Ｓ２０２）、図１１に示すトランサクションが開始される。
【００４２】
なお、以下の操作においてユーザが処理を進めたいときは入力部１０１により「ＯＫ」のキー操作を行い、処理を前のステップに戻したいときは「戻る」のキー操作を行い、入力内容を取り消したいときは「クリア」のキー操作を行う。
【００４３】
図１５（ａ）の状態でユーザが「ＯＫ」のキー操作をすると、自動供給モードがスタートし（Ｓ１０２）、携帯電話機４００は前回補給時からの消費電流のデータを記憶部１０３から読み出し消費電流積算値を算出する（Ｓ１０３）。消費電流は予め定められた時間間隔でサンプリングされ記憶部１０３に記憶される。なお、記憶部１０３に前回補給時からサンプリング時間ごとに消費電流を積算した値を記憶させておいてもよい。次に燃料供給装置６００にセットされたか確認する（Ｓ１０４、Ｓ２０３）。これは、携帯電話機４００の制御部１０２が確認のための信号を通信部５００及び通信部６６２を介して燃料供給装置６００の制御部６１０に送信し、制御部６１０から応答があったことで装着を確認する。応答が得られなかった場合（Ｓ１０４、Ｓ２０３）には送信を繰り返し、図示してないが、所定回数繰り返しても応答が得られなければエラー表示をして処理を終了する。
【００４４】
セットが確認される（Ｓ１０４）とＩＤと消費電流の積算値を燃料供給装置６００に送信する（Ｓ１０６）。燃料供給装置６００は携帯電話機４００が装着されたことを制御部１０２からの確認信号を受信することで確認し、応答信号を返送する（Ｓ２０３）。次にＩＤと消費電流の積算値を受信し（Ｓ２０４）、受信した消費電流の積算値から燃料の供給量と料金を算出し（Ｓ２０５）、通信部６６２、アンテナ６１２を介して携帯電話機４００に送信する（Ｓ２０６）。
【００４５】
この後、燃料供給装置６００は、料金を見たユーザが供給中止のため携帯電話機４００を携帯電話装着部６３０からはずしていないか、あるいはタップ６２５と燃料供給部３０５とが燃料漏れのないよう密着されているか確認するため再び装着確認を行い（Ｓ２０７）、外れていれば（Ｓ２０７）アラームを発生して（Ｓ２１４）処理を終了する。装着が確認されると（Ｓ２０７）、携帯電話機９００からの購入信号の待ち時間のカウントを開始し、予め定められた時間以上経っても購入信号が受信されなければ（Ｓ２０９）、異常あるいはユーザに購入の意志がないとみなしてアラームを発生して（Ｓ２１４）処理を終了する。
【００４６】
携帯電話機４００は燃料供給量と料金を受信する（Ｓ１０６）と、図１５（ｂ）に示すように表示部１０４に供給量と金額を見積もり値として表示する。なお、同図では供給量と金額の両方を表示しているが、見積もりとしては金額だけ表示してもよい。ユーザはこの見積もり値で購入するのであれば「ＯＫ」のキー操作をし（Ｓ１０８）、購入しないのであれば「終了」のキー操作をする（Ｓ１０８）。購入ＯＫであれば、購入処理として購入信号を燃料供給装置６００に送信する（Ｓ１０９）。
【００４７】
燃料供給装置６００は購入信号を受信すると（Ｓ２１０）燃料供給装置６２０を動作させて燃料供給を行う（Ｓ２１１）。この間、携帯電話機４００の表示部１０４には図１５（ｃ）に示すような自動供給中であることを示す表示が行われる。燃料供給装置６００は燃料供給が終了すると供給終了信号を供給量、料金とともに携帯電話機４００に送信する（Ｓ２１２）。携帯電話機４００はこの信号を受けて図１５（ｄ）に示すように表示部１０４に供給量と金額を再度表示する（Ｓ１１０）。この供給量と金額は実際に供給した供給量と金額である。見積もり時と同様にこのステップでも金額だけの表示であってもよい。ここでユーザが「ＯＫ」のキー操作をすると処理を終了して待ち受け画面を表示する。なお、Ｓ１１０でユーザがキー操作を予め定められた時間以上しなかった場合、電池の消耗を防ぐため処理を終了して待ち受け画面の表示を行う。
【００４８】
一方、燃料供給装置６００は供給終了信号を供給量、料金とともに携帯電話機４００に送信後、携帯電話機４００のＩＤと料金を基地局９００に送信して（Ｓ２１３）処理を終了する。このとき燃料の供給量をＩＤ及び料金とともに基地局に送信してもよい。また、燃料供給の過程において燃料供給装置６００の表示部６４０に図１５（ａ）、（ｂ）、（ｃ）、（ｄ）の画面を表示してもよい。
【００４９】
次に、携帯電話機４００を使用してカートリッジ７００を購入し、料金を携帯電話機４００の通話料金あるいはデータ通信の料金とともにユーザが支払う方法について、説明する。携帯電話機４００のユーザがカートリッジを購入したいとき、図１４（ｂ）の画面でカートリッジ購入を選択する（Ｓ１０１）と、表示部１０４の画面は図１６（ａ）のカートリッジ購入スタート画面に移行する。ユーザが携帯電話機４００を燃料供給装置６００の携帯電話装着部６３０にセットして、図９の燃料供給装置の表示画面６４０で「カートリッジ購入（通話料金と同時払い）」の部分のタッチパネル６４２を操作する（Ｓ２０１、Ｓ２２０、Ｓ２２１）。これにより図１２に示すトランサクションが開始される。
【００５０】
カートリッジ購入の場合は、カートリッジを携帯電話機４００から要求された数量だけ供給するので、タップ６２５と燃料供給口３０５との間の燃料漏れの心配がないため装着確認の処理を省略できる。しかし、携帯電話機４００と燃料供給装置６００間の通信部５００、アンテナ５１０、アンテナ６１２、通信部６６２を介しての通信を安定に行うために、携帯電話機４００を携帯電話装着部６３０に装着することが望ましい。
【００５１】
この状態でカートリッジ供給モードがスタートし（Ｓ１２０）、携帯電話機４００の表示部１０４には図１６（ａ）の数量入力画面が表示される。この場合画面にはデフォルトで数量が１本と表示される。ユーザは購入本数が１本でよければ「ＯＫ」のキー操作を行い、それ以上、例えば５本買う場合には入力部１０１の数値キーを使って数値を入力し「ＯＫ」のキー操作を行うことにより購入数量の入力を行う（Ｓ１２１）。この場合入力された数値は図１６（ｂ）に示されるようにデフォルトの表示に上書きされて表示される。携帯電話機４００は購入数量をＩＤとともに通信部５００を介して燃料供給装置６００に送信する（Ｓ１２２）。燃料供給装置６００は購入数量とＩＤを受信する（Ｓ２２２）と料金を算出して（Ｓ２２３）携帯電話機４００に通信部６６２を介して送信する（Ｓ２２４）。携帯電話機４００は料金を受信する（Ｓ１２３）と、表示部１０４にユーザが指定したカートリッジの購入数量と金額を図１６（ｃ）に示すように表示する。
【００５２】
ユーザが購入数量を訂正したいときは「戻る」のキー操作をすると、数量入力ステップ（Ｓ１２１）に戻り、図１６（ａ）または（ｂ）の画面から購入数量を再度入力する。図１６（ｃ）の画面でユーザが「終了」のキー操作をすると、処理終了の選択となり（Ｓ１２７）、携帯電話機４００は処理を終了して待ち受け状態に戻る。
【００５３】
一方、図１６（ｃ）の表示がされた状態でユーザが「ＯＫ」のキー操作をすると（Ｓ１２５）携帯電話機４００は購入処理として購入信号を燃料供給装置６００に送信する（Ｓ１２６）。燃料供給装置６００は携帯電話機４００から購入信号を受信する（Ｓ２２５）と制御部がカートリッジ供給部６５０を制御して携帯電話機４００から送信された数量のカートリッジをカートリッジ取り出し口６５２に供給する。燃料供給装置６００は基地局９００に携帯電話機４００のＩＤ情報と料金の情報を送信して（Ｓ２２７）処理を終了する。なお、このとき販売数量の情報を併せて送信してもよい。
【００５４】
なお、図１８に図示していないが、Ｓ２２４で料金を送信し、予め定められた時間内に購入信号が受信されないときは異常あるいはユーザに購入意志がないとみなし（Ｓ２２５）、アラームを発生して処理を終了する。
【００５５】
基地局９００は燃料供給装置６００からＩＤ情報と料金の情報を受信すると、カートリッジの料金を携帯電話機のユーザの通話料金あるいはデータ通信料金に上乗せして徴収するように課金処理を行う。これによりユーザは現金を持たなくてもカートリッジ７００の購入ができる。
【００５６】
次に携帯電話機４００のユーザが現金でカートリッジ７００を購入する場合について説明する。この場合はＩＤ情報が不要であるので携帯電話機４００の携帯電話装着部６３０への装着は不要である。さらにはユーザが携帯電話機４００を携帯していなくても購入が可能である。この場合にはユーザは燃料供給装置６００の表示部６４０に表示された図９の画面で「カートリッジ購入（現金払い）」を選択する（Ｓ２２１）。表示部６４０には図１６（ａ）に示す数量入力画面とテンキー（図示せず）が表示される（Ｓ２４１）。数量入力画面にはデフォルトとして数量が１本と表示され、ユーザが１本でＯＫであればタッチパネルの「ＯＫ」を操作する。もしユーザが５本購入するのであれば、タッチパネルに表示されたテンキーから５を入力する（Ｓ２４２）。これにより画面は図１６（ｂ）になる。
【００５７】
図１６（ａ）または図１６（ｂ）でユーザがタッチパネルの「ＯＫ」を操作すると、表示部６４０には図１６（ｃ）に示すようにユーザが指定したカートリッジの購入数量とそれに対する料金が表示される（Ｓ２４３）。図１６（ｃ）でユーザがタッチパネルの「ＯＫ」を操作し、硬貨投入口６５８から料金を投入する。投入された料金が表示された金額以上であれば（Ｓ２４４）、カートリッジ取り出し口６５２にカートリッジが供給される。投入された金額が表示された料金を超えるときは釣銭がカートリッジ取り出し口６５２に返却される。このときは領収書（レシート）を発行してもよい。投入された料金が不足であるときは（Ｓ２４４）、図１８には図示していないが、不足分の投入を予め定められた時間待ち、その時間を超えても投入されなかった場合は料金が不足している旨の音声ガイダンスを音声ガイダンス装置６６８から発生し、それでも投入されなかったら投入された料金をカートリッジ取り出し口６５２に返却して処理を終了する。なお、この場合には燃料供給装置６００は基地局９００との交信は行わない。
【００５８】
本実施形態では、携帯電話機４００を燃料供給装置６００に装着してから、携帯電話機４００と燃料供給装置６００の双方の操作を必要としたが、携帯電話機４００を燃料供給装置６００に装着すると図９の画面が表示され、ここで「自動供給」を選択すると燃料供給装置６００の制御部６１０が携帯電話機４００を制御して図１７のＳ１０２からＳ１０７の処理、および図１８のＳ２０２からＳ２１０までの処理を自動で行うようにしてもよい。これにより、ユーザは携帯電話機４００を燃料供給装置６００に装着して「自動供給」を選択後、表示された料金に対して購入可否を入力するだけで「可」の場合には自動的に燃料の補給と課金の処理が行われる。これによりユーザの操作を簡略化できる。
【００５９】
以上の実施形態では、携帯電子機器が携帯電話機である例について説明したが、本発明はこれに限るものではなく、基地局またはセンタとの間の音声またはデータ（インターネット、電子メールを含む）による通信機能を有し、かつ通信に対して課金が行われるシステムに用いられる携帯情報端末装置（ＰＤＡ）、携帯型パーソナルコンピュータ等への燃料供給方法、充電方法に本発明を適用しても良い。
【００６０】
【発明の効果】
本発明によれば、燃料供給あるいは充電を容易に行うことができる携帯電子機器および電源供給装置、電源供給方法を提供することができる。
【図面の簡単な説明】
【図１】本発明の第１及び第２の実施の形態におけるシステムの概念を示す図である。
【図２】本発明の第１及び第２の実施の形態で用いられる携帯電話機の外観を示す正面図である。
【図３】本発明の第１及び第２の実施の形態で用いられる携帯電話機の外観を示す背面図である。
【図４】本発明の第１及び第２の実施の形態で用いられる携帯電話機の構成を示すブロック図である。
【図５】本発明の第１及び第２の実施の形態における燃料供給装置を示す斜視図である。
【図６】本発明の第１及び第２の実施の形態における燃料供給装置の構成を示すブロック図である。
【図７】本発明の第１及び第２の実施の形態における燃料供給装置に携帯電話機が装着された状態を示す斜視図である。
【図８】本発明の第１及び第２の実施の形態における燃料カートリッジの形状を示す斜視図である。
【図９】本発明の第１及び第２の実施の形態における燃料供給装置の表示部の画面表示例を示す図である。
【図１０】本発明の第１の実施の形態における携帯電話機と燃料供給装置と基地局のトランサクションを示す図である。
【図１１】本発明の第２の実施の形態で燃料の自動供給モードにおける携帯電話機と燃料供給装置と基地局のトランサクションを示す図である。
【図１２】本発明の第２の実施の形態で燃料のカートリッジ供給モードにおける携帯電話機と燃料供給装置と基地局のトランサクションを示す図である。
【図１３】本発明の第１及び第２の実施の形態における携帯電話機の表示部の表示画面を示す図で、同図（ａ）はメニュー画面、同図（ｂ）は待ち受け画面を示す図である。
【図１４】本発明の第１及び第２の実施の形態における携帯電話機の表示部の表示画面を示す図で、同図（ａ）はメニュー画面、同図（ｂ）は待ち受け画面を示す図である。
【図１５】本発明の第２の実施の形態における携帯電話機の表示部の表示画面を示す図で、同図（ａ）は自動供給開始画面、同図（ｂ）は見積もり画面同図（ｃ）は自動供給中を示す画面、同図（ｄ）は自動供給終了画面を示す図である。
【図１６】本発明の第２の実施の形態における携帯電話機の表示部の表示画面を示す図で、同図（ａ）はカートリッジ購入の初期画面、同図（ｂ）はカートリッジ購入で購入数量を訂正した画面、同図（ｃ）は購入承認画面を示す図である。
【図１７】本発明の第１及び第２の実施の形態における携帯電話機の処理のフローチャートである。
【図１８】本発明の第２の実施の形態における燃料供給装置の処理のフローチャートである。
【図１９】本発明の第１及び第２の実施の形態における燃料供給装置の変形例を示す斜視図である。
【符号の説明】
１０１：入力部、１０２：制御部、１０３：記憶部、１０４：表示部、３００：燃料電池、３０５：燃料供給口、３２０：電気量検出部、４００：携帯電話機、４１０：アンテナ、４２０：高周波回路部、４３０：音声回路部、４４０：送話器、４４５：受話器、４５０：筐体、５００：通信部、５１０：アンテナ、６００：燃料供給装置、６１０：制御部、６１２：アンテナ、６２０：燃料供給部、６２５：タップ、６３０：携帯電話装着部、６４０：表示部、６４２：入力部、６５０：燃料カートリッジ供給部、６５２：カートリッジ取り出し口、６５８：硬貨投入口、６６０：高周波回路部、６６２：通信部、６６５：低周波回路部、６６８：音声ガイダンス装置、６７２：記憶部、６９０：電源、７００：カートリッジ、７１０：カートリッジ側面、９００：基地局。
【図１】
2004128827.tif 000003
【図２】
2004128827.tif 000004
【図３】
2004128827.tif 000005
【図４】
2004128827.tif 000006
【図５】
2004128827.tif 000007
【図６】
2004128827.tif 000008
【図７】
2004128827.tif 000009
【図８】
2004128827.tif 000010
【図９】
2004128827.tif 000011
【図１０】
2004128827.tif 000012
【図１１】
2004128827.tif 000013
【図１２】
2004128827.tif 000014
【図１３】
2004128827.tif 000015
【図１４】
2004128827.tif 000016
【図１５】
2004128827.tif 000017
【図１６】
2004128827.tif 000018
【図１７】
2004128827.tif 000019
【図１８】
2004128827.tif 000020
【図１９】
2004128827.tif 000021